(57)【要約】【課題】ピットを深く掘る必要もないので工事期間が短縮でき、油圧エレベーターの小型化が可能となる油圧エレベーターのプラットホーム構造を提供する。【解決手段】床板１の裏面に構造材２を溶接やボルト等で固着してプラットホーム３を設けたかご４を形成し、このかご４を油圧ユニット５の油圧動力を利用して昇降させる油圧エレベーターＡのプラットホーム構造において、プラットホーム３の裏面の構造材２間に油圧ユニット５を格納できる格納スペース６を形成したものである。【選択図】        図３
2004292067.tif 000002
【特許請求の範囲】
【請求項１】
床板裏面に構造材を固着してプラットホームを設けたかごを形成し、該かごを油圧ユニットの動力を利用して昇降させる油圧エレベーターのプラットホーム構造において、プラットホームの裏面の構造材間に油圧ユニットを格納できる格納スペースを形成することを特徴とする油圧エレベーターのプラットホーム構造。
【請求項２】
上記プラットホームの構造材が四角枠で外枠を形成し、該外枠の略中央部の床板の裏面に格納スペースを形成することを特徴とする請求項１記載の油圧エレベーターのプラットホーム構造。
【請求項３】
上記プラットホームの構造材が金属製であって、断面係数が大きくなるように配設することを特徴とする請求項１又は請求項２記載の油圧エレベーターのプラットホーム構造。
【発明の詳細な説明】
【０００１】
【発明の属する技術分野】
本発明は、主に老人や病人等が使用する住宅内に設置される家庭用の油圧エレベーターのプラットホーム構造に関するものである。
【０００２】
【従来の技術】
従来、図６に例示したように、油圧ユニット２０を床板裏面に構造材２１を固着してプラットホーム２２を設けたかご２３の外側のピット２４の床面に設置したり、図７のように、油圧ユニット２０をプラットホーム２２の床下裏面のピット２４の床面に設置して、かご２３の底面の立体空間を有効に利用するタイプのものが汎用されていた。
【０００３】
このように、油圧ユニット２０を床板裏面に構造材２１を固着してプラットホーム２２を設けたかご２３の外側に設置するタイプのものでは、かご２３の床面と油圧ユニット２０との合算した面積が必要となり、特に住宅のような土地面積の小さい場所では小型化ができにくかった。また、油圧ユニット２０をプラットホーム２２の床下の床板裏面に設置して、かご２３の底面の立体空間を有効に利用するタイプのものでは、油圧ユニットの収納は可能であるが、ピットを深く掘らなければならずコスト的に高くなり、工事期間も長くかかるという問題があった。
例えば特許文献１や特許文献２のようなものが知られている。
【０００４】
【特許文献１】
実開昭５６−１５１２８０号公報（第１頁〜第２頁、図１、図２）
【０００５】
【特許文献２】
特開平６−２５５９５２号公報（第１頁〜第２頁、図１、図４）
【０００６】
【発明が解決しようとする課題】
本発明は上記問題点の解決を目的とするものであり、プラットホームの裏面の構造材間に油圧ユニットを格納できる格納スペースを形成することで、ピットを深く掘る必要もないので工事期間が短縮でき、ピットの小型化が可能となる油圧エレベーターのプラットホーム構造を提供するものである。
【０００７】
【課題を解決するための手段】
本発明の請求項１記載の油圧エレベーターのプラットホーム構造は、床板裏面に構造材を固着してプラットホームを設けたかごを形成し、該かごを油圧ユニットの動力を利用して昇降させる油圧エレベーターのプラットホーム構造において、プラットホームの裏面の構造材間に油圧ユニットを格納できる格納スペースを形成することを特徴とするものである。
【０００８】
したがって、プラットホームの裏面の構造材間に油圧ユニットを格納できる格納スペースを形成することで、ピットを深く掘る必要もないので工事期間が短縮でき、ピットの小型化が可能となる。
【０００９】
本発明の請求項２記載の油圧エレベーターのプラットホーム構造は、請求項１記載のプラットホームの構造材が四角枠で外枠を形成し、該外枠の略中央部の床板の裏面に格納スペースを形成することを特徴とするものである。
【００１０】
したがって、このプラットホームの重量バランスがとれるとともに格納スペースによって油圧ユニットが格納され、高さ方向の省スペースが図られ、プラットホーム強度の強いものである。
【００１１】
本発明の請求項３記載の油圧エレベーターのプラットホーム構造は、請求項１又は請求項２記載のプラットホームの構造材が金属製であって、断面係数が大きくなるように配設することを特徴とするものである。
【００１２】
したがって、金属製構造材の断面積が小さくても曲げ強度が大きく省スペースのプラットホーム構造を得ることができる。
【００１３】
【発明の実施の形態】
図１乃至図５に示したように、本発明の一実施形態に係わる油圧エレベーターのプラットホーム構造であって、図１は、油圧エレベーターの概略を示す斜視図であり、図２は、プラットホーム構造の要部の斜視図であり、図３は、図２のＸ−Ｘ縦断面図である。図４は、図３の平面図、図５（ａ）、（ｂ）は、プラットホームと油圧ユニットとの関係を示す要部の概略を示す縦断面図である。
【００１４】
図１に示したように、本発明の油圧エレベーターのプラットホーム構造は、金属製、木質製等の床板１の裏面に構造材２を溶接やボルト等で固着してプラットホーム３を設けたかご４を形成し、このかご４を油圧ユニット５の油圧動力を利用して昇降させる油圧エレベーターＡのプラットホーム構造において、プラットホーム３の裏面の構造材２間に油圧ユニット５を格納できる格納スペース６を形成したものである。
【００１５】
このとき、図２乃至図４に示したようにプラットホーム３の裏面の構造材２は、Ｃ型鋼を断面係数が大きくなるように縦状に配設している。このＣ型鋼からなる構造材２は、四角枠で外枠７を形成し、この外枠７の略中央部の床板１の裏面に格納スペース６を形成したものである。この格納スペース６の短手方向には、構造材２からなる中枠９が二本設けられ、この中枠９の端部１０の裏面側を油圧シリンダー８の可動ロッド８ｂによって、昇降自在としたものである。これらの油圧シリンダー８や油圧ユニット５は、プラットホーム３を設けたかご４の底部が挿入されるように四角形状に掘ったピット１１の底面１２にアンカーボルト等で固着されているものである。
【００１６】
この油圧シリンダー８は、一般的なシリンダー８ａと可動ロッド８ｂとからなるものが用いられ、プラットホーム３が固定されたかご４を上下動するものである。また、可動ロッドは、油圧力を利用したネジ式の可動ロッド８ｂを設けても良い。
【００１７】
さらに床板１は、パンチングメタル、鉄板、木質板、合成樹脂板が用いられ、床材強度は、この床板１を固着したプラットホーム３により人や荷物等の積載荷重に耐えるように設計されている。尚、構造材２は、金属製であって、Ｃ型鋼のみならずＩ型鋼，Ｈ型鋼が用いられ、断面係数が大きくなるように配設することにより曲げ強度が増大し、且つ縦横の省スペース化が図れる。
【００１８】
図５において、（ａ）は、プラットホーム３が上昇した状態を示すものであり、（ｂ）のようにプラットホーム３が下降した状態では、外枠７の略中央部の床板１の裏面に格納スペース６が形成されているので、この格納スペース６の中に油圧ユニット５の上端が被装されるようになっている。
【００１９】
したがって、油圧ユニット５の上端がプラットホーム３の裏面の構造材２に格納されるので、ピット１１の高さＨを構造材２の高さ分（通常のＣ型鋼は高さが１００ｍｍ、幅５０ｍｍ）短くすることができる。
尚、構造材２は、必要な曲げ強度や設置条件により適宜選択されれば良いものである。
【００２０】
さらに、ピット１１の高さＨを小さくできるので、ピット１１の穴あけコストが安くなり、工事期間も短縮される。また、プラットホーム３の構造材２が四角枠で外枠７を形成し、この外枠７の略中央部の床板１の裏面に格納スペース６を形成することで、プラットホームの重量バランスがとれるので、油圧シリンダー８に均等に荷重が加わり、油圧シリンダー８の長寿命化も図れる。
【００２１】
【発明の効果】
上述の如く、本発明の請求項１記載の油圧エレベーターのプラットホーム構造は、床板裏面に構造材を固着してプラットホームを設けたかごを形成し、このかごを油圧ユニットの動力を利用して昇降させる油圧エレベーターのプラットホーム構造において、プラットホームの裏面の構造材間に油圧ユニットを格納できる格納スペースを形成しているので、ピットを深く掘る必要もないので工事期間が短縮でき、ピットの小型化が可能となる。
【００２２】
本発明の請求項２記載の油圧エレベーターのプラットホーム構造は、プラットホームの構造材が四角枠で外枠を形成し、この外枠の略中央部の床板の裏面に格納スペースを形成しているので、プラットホームの重量バランスがとれるとともに格納スペースによって油圧ユニットが格納され、高さ方向の省スペースが図られ、プラットホーム強度の強いものである。
【００２３】
本発明の請求項３記載の油圧エレベーターのプラットホーム構造は、プラットホームの構造材が金属製であって、断面係数が大きくなるように配設されているので、金属製構造材の断面積が小さくても曲げ強度が大きく省スペースのプラットホーム構造を得ることができる。
【図面の簡単な説明】
【図１】本発明の一実施形態に係わる油圧エレベーターの概略を示す斜視図である。
【図２】本発明の一実施例に係わるプラットホーム構造の要部の斜視図である。
【図３】本発明の図２のＸ−Ｘ縦断面図である。
【図４】本発明の図３の平面図である。
【図５】（ａ）は、本発明のプラットホームが上昇した状態を示すものであり、（ｂ）は、プラットホームが下降した状態を示す要部の概略を示す縦断面図である。
【図６】従来の油圧ユニットの外付けタイプの概略を示す斜視図である。
【図７】従来のプラットホーム裏面側に油圧ユニットを配設するタイプの概略を示す斜視図である。
【符号の説明】
Ａ      油圧エレベーター
１      床板
２      構造材
３      プラットホーム
４      かご
５      油圧ユニット
６      格納スペース
７      外枠
８      油圧シリンダー
９      中枠
１０    端部
１１    ピット
１２    底面
【図１】
2004292067.tif 000003
【図２】
2004292067.tif 000004
【図３】
2004292067.tif 000005
【図４】
2004292067.tif 000006
【図５】
2004292067.tif 000007
【図６】
2004292067.tif 000008
【図７】
2004292067.tif 000009